(57)【要約】【課題】キー配列の異なるモデルを製作する必要なく、国，地域，教師などにより異なる多様な教え方に容易に対応することが可能になるＯＨＰ用電子式計算機を提供する。【解決手段】国や地域あるいは教師の教え方により異なるキー配列の表示パターンＫＰ(1)(2)…をユーザ操作に応じて選択的に指定し、透明タッチパネル１３を入力手段として重ねた透過型のキー表示部（ＬＣＤ−Ｋ）１２に表示させる。そして、指定のキー配列に応じた電卓プログラムを設定起動させて本ＯＨＰ関数電卓１０を動作させる。【選択図】図１
2009271586.tif 000002
【特許請求の範囲】
【請求項１】
透過型の液晶表示パネルからなるキー表示部と、
このキー表示部の表示面に重ねて設けられ、ユーザ操作に応じたタッチ位置を検出する透明のタッチパネルと、
複数種類のキー配列の表示パターンを記憶するキー配列パターン記憶手段と、
このキー配列パターン記憶手段により記憶された複数種類のキー配列の表示パターンのうち任意のキー配列の表示パターンをユーザ操作に応じて指定するキー配列パターン指定手段と、
このキー配列パターン指定手段により指定されたキー配列の表示パターンを前記キー表示部に表示させるキー表示制御手段と、
前記キー表示部に前記キー配列パターン記憶手段により記憶される何れかのキー配列の表示パターンが表示された状態で、ユーザ操作に応じて前記タッチパネルにより検出されるタッチ位置に対応したキー処理を実行するキー処理実行手段と、
を備えたことを特徴とするＯＨＰ用電子式計算機。
【請求項２】
前記キー表示部に前記キー配列パターン記憶手段により記憶される何れかのキー配列の表示パターンが表示された状態で、ユーザ操作に応じて前記タッチパネルにより検出されるタッチ位置に対応した一連のキーデータを順次記憶するキー操作データ記憶手段と、
このキー操作データ記憶手段により記憶された一連のキーデータに従い、当該各キーデータにそれぞれ対応するところの前記キー表示部に表示された各キーを順次識別表示させるキー操作再表示制御手段と、
を備えたことを特徴とする請求項１に記載のＯＨＰ用電子式計算機。
【請求項３】
所定のキーの操作手順に対応した一連のキーデータを予め記憶するキー操作手順記憶手段と、
前記キー表示部に前記キー配列パターン記憶手段により記憶される何れかのキー配列の表示パターンが表示された状態で、ユーザ操作に応じて前記タッチパネルにより検出されるタッチ位置に対応したキーデータが前記所定のキーである場合に、前記キー操作手順記憶手段により記憶された一連のキーデータに従い、当該各キーデータにそれぞれ対応するところの前記キー表示部に表示された各キーを順次識別表示させるキー操作手順表示制御手段と、
を備えたことを特徴とする請求項１または請求項２に記載のＯＨＰ用電子式計算機。
【請求項４】
本体ケースに、ＯＨＰの光源から受ける熱を排熱する排熱用開口部を備えたことを特徴とする請求項１ないし請求項３の何れか１項に記載のＯＨＰ用電子式計算機。
【請求項５】
ＯＨＰの光源から受ける熱または光を電力に変換する電源素子を備えたことを特徴とする請求項１ないし請求項４の何れか１項に記載のＯＨＰ用電子式計算機。
【発明の詳細な説明】
【技術分野】
【０００１】
本発明は、特に、ＯＨＰ(Over Head Projector)に用いて有用なＯＨＰ用電子式計算機に関する。
【背景技術】
【０００２】
従来から教育現場において計算の学習をする場合に、関数電卓と称する電子式計算機を利用し、当該関数電卓を教師自らが実際に模範操作し、各種の計算を行う操作手順について生徒に学習させることが行われている。
【０００３】
一般に関数電卓は、所望の関数式を入力表示させてその計算を実行し計算結果を表示させたり、関数式に応じたグラフを描画表示させたりすることができる（例えば、特許文献１参照。）。
【０００４】
そして、このような関数電卓の操作手順について、教師による模範操作を生徒側により見易く分かり易くするために、ＯＨＰ用の関数電卓が考えられている。
【０００５】
このＯＨＰ用の関数電卓は、各種キーの配列パターンが印刷された透過型のキー入力パネルと透過型の液晶表示パネルを備えており、この関数電卓を、ＯＨＰにおける光源からの照射光を透過させるガラス面に載せることで、前記キー入力パネルに印刷されたキー配列パターンおよび液晶表示パネルに表示された数字や記号などが光学的にスクリーンに投影されるものである。
【特許文献１】特開２００４−１５１９６０号公報
【発明の開示】
【発明が解決しようとする課題】
【０００６】
現在、世界各地の教育現場において実用されている関数電卓は、その国や地域によってキーの配列パターンが異なり教え方も異なる。このため、キーの配列パターンが固定的に印刷されている従来のＯＨＰ用の関数電卓では、国や地域により異なったり教師により異なったりする多様な教え方に対応しきれず、これに対応するにはそのそれぞれに異なるモデルの電卓を製作しなければならない問題がある。
【０００７】
本発明は、このような課題に鑑みなされたもので、キー配列の異なるモデルを製作する必要なく、国，地域，教師などにより異なる多様な教え方に容易に対応することが可能になるＯＨＰ用電子式計算機を提供することを目的とする。
【課題を解決するための手段】
【０００８】
請求項１に記載のＯＨＰ用電子式計算機は、透過型の液晶表示パネルからなるキー表示部と、このキー表示部の表示面に重ねて設けられ、ユーザ操作に応じたタッチ位置を検出する透明のタッチパネルと、複数種類のキー配列の表示パターンを記憶するキー配列パターン記憶手段と、このキー配列パターン記憶手段により記憶された複数種類のキー配列の表示パターンのうち任意のキー配列の表示パターンをユーザ操作に応じて指定するキー配列パターン指定手段と、このキー配列パターン指定手段により指定されたキー配列の表示パターンを前記キー表示部に表示させるキー表示制御手段と、前記キー表示部に前記キー配列パターン記憶手段により記憶される何れかのキー配列の表示パターンが表示された状態で、ユーザ操作に応じて前記タッチパネルにより検出されるタッチ位置に対応したキー処理を実行するキー処理実行手段と、を備えたことを特徴としている。
【０００９】
請求項２に記載のＯＨＰ用電子式計算機は、前記請求項１に記載のＯＨＰ用電子式計算機において、前記キー表示部に前記キー配列パターン記憶手段により記憶される何れかのキー配列の表示パターンが表示された状態で、ユーザ操作に応じて前記タッチパネルにより検出されるタッチ位置に対応した一連のキーデータを順次記憶するキー操作データ記憶手段と、このキー操作データ記憶手段により記憶された一連のキーデータに従い、当該各キーデータにそれぞれ対応するところの前記キー表示部に表示された各キーを順次識別表示させるキー操作再表示制御手段と、を備えたことを特徴としている。
【００１０】
請求項３に記載のＯＨＰ用電子式計算機は、前記請求項１または請求項２に記載のＯＨＰ用電子式計算機において、所定のキーの操作手順に対応した一連のキーデータを予め記憶するキー操作手順記憶手段と、前記キー表示部に前記キー配列パターン記憶手段により記憶される何れかのキー配列の表示パターンが表示された状態で、ユーザ操作に応じて前記タッチパネルにより検出されるタッチ位置に対応したキーデータが前記所定のキーである場合に、前記キー操作手順記憶手段により記憶された一連のキーデータに従い、当該各キーデータにそれぞれ対応するところの前記キー表示部に表示された各キーを順次識別表示させるキー操作手順表示制御手段と、を備えたことを特徴としている。
【００１１】
請求項４に記載のＯＨＰ用電子式計算機は、前記請求項１ないし請求項３の何れか１項に記載のＯＨＰ用電子式計算機において、本体ケースに、ＯＨＰの光源から受ける熱を排熱する排熱用開口部を備えたことを特徴としている。
【００１２】
請求項５に記載のＯＨＰ用電子式計算機は、前記請求項１ないし請求項４の何れか１項に記載のＯＨＰ用電子式計算機において、ＯＨＰの光源から受ける熱または光を電力に変換する電源素子を備えたことを特徴としている。
【発明の効果】
【００１３】
本発明によれば、キー配列の異なるモデルを製作する必要なく、国，地域，教師などにより異なる多様な教え方に容易に対応することが可能になるＯＨＰ用電子式計算機を提供できる。
【発明を実施するための最良の形態】
【００１４】
以下図面により本発明の実施の形態について説明する。
【００１５】
図１は、本発明のＯＨＰ用電子式計算機の実施形態に係るＯＨＰ関数電卓１０の本体構成を示す図であり、同図（Ａ）はその正面外観図、同図（Ｂ）は同図（Ａ）のＢ矢視断面図、同図（Ｃ）は同図（Ａ）のＣ矢視側面図である。
【００１６】
このＯＨＰ関数電卓１０の本体ケース１１は、図１（Ｂ）に示すように、内蔵されている各部品（１２，１４，１５）の高さを超える厚みを有しそのケース裏面１１ｂ側が開放された構造であり、ケース表面１１ａの下半分の領域には透過型の液晶表示パネルからなるキー表示部（ＬＣＤ−Ｋ）１２が設けられ、このキー表示部１２の表面には透明タッチパネル１３が重ねて設けられる。
【００１７】
また、同本体ケース１１におけるケース表面１１ａの上寄りの領域には、透過型の液晶表示パネルからなる表示部（ＬＣＤ）１４が設けられる。
【００１８】
前記透過型のキー表示部（ＬＣＤ−Ｋ）１２、透明タッチパネル１３、透過型の表示部（ＬＣＤ）１４以外の電子回路を構成する電子部品１５は、図１（Ｂ）に示すように、本体ケース１１におけるケース裏面１１ｂの、前記キー表示部（ＬＣＤ−Ｋ）１２と表示部（ＬＣＤ）１４との間のスペースに配置される。
【００１９】
前記透過型のキー表示部（ＬＣＤ−Ｋ）１２には、電子回路（１５）からの表示制御によってキーの配列パターンＫＰが液晶表示されて示され、各キー位置に対応する透明タッチパネル１３をユーザがタッチ操作することで、そのタッチ位置の検出信号がキー信号として前記電子回路（１５）に入力され、キー操作の内容が判断される。
【００２０】
このＯＨＰ関数電卓１０は、図示しないＯＨＰにおける光源からの照射光を透過させるガラス面上に、その本体ケース１１をケース裏面１１ｂから載せて置くことで、前記透過型のキー表示部（ＬＣＤ−Ｋ）１２に表示させたキー配列パターンＫＰおよび前記透過型の表示部（ＬＣＤ）１４に表示させた文字・数字・記号などの表示データが、図示しないスクリーンなどに投影表示されＯＨＰ用に供されるもので、図１（Ｃ）に示すように本体ケース１１の側面には、前記ＯＨＰの光源から受ける熱を逃がすための排熱用開口部１６が設けられる。
【００２１】
図２は、前記ＯＨＰ関数電卓１０の電子回路の構成を示すブロック図である。
【００２２】
このＯＨＰ関数電卓１０には、ＣＰＵ(Central Processing Unit)２１が備えられる。
【００２３】
このＣＰＵ２１は、ＲＯＭなどの記憶装置２２に予め記憶されている電卓制御プログラムに従いＲＡＭ２３を作業用のメモリとして回路各部の動作を制御する。このＣＰＵ２１には、前記記憶部２２、ＲＡＭ２３の他に、前記透過型のキー表示部（ＬＣＤ−Ｋ）１２がキー表示制御部１２ａを介して接続され、また前記透明タッチパネルがタッチパネル制御部１３ａを介して接続され、また前記透過型の表示部（ＬＣＤ）１４が表示制御部１４ａを介して接続される。
【００２４】
前記記憶装置２２には、例えば国や地域に応じて予め定められた異なるキー配列の表示パターンＫＰ(1)(2)…がタイプ別キー表示パターン２２ａとして記憶され、また、同記憶装置２２に記憶される電卓制御プログラムとしては、前記タイプ別キー表示パターン２２ａによる異なるキー配列の表示パターンＫＰ(1)(2)…にそれぞれ対応した電卓制御を行うためのタイプ別電卓プログラム２２ｂが予め記憶される。
【００２５】
前記異なるキー配列の表示パターンＫＰ(1)(2)…とは、例えば数値キーと演算子キーの配列が逆であったり、数値キー自体の配列が異なったり、各種関数，機能キーの配列が異なったりするキー配列のことである。
【００２６】
なお、本ＯＨＰ関数電卓１０の製造初期の段階では、前記タイプ別キー表示パターン２２ａにおける何れかのキー配列の表示パターンＫＰ(n)がデフォルト設定されてキー表示部（ＬＣＤ−Ｋ）１２に表示され、当該デフォルト設定されたキー配列の表示パターンＫＰ(n)に対応した電卓制御プログラム（２２ｂ）に従い動作する。
【００２７】
また記憶装置２２はガイドメモリ２２ｃを有しており、ガイドメモリ２２ｃには、前記キー表示部（ＬＣＤ−Ｋ）１２に表示されたキー配列パターンＫＰに含まれる予め定められた[log][sin][cos]…などの各関数，機能キーについて、当該関数，機能キーそれぞれの操作手順の一例を１キー操作ずつガイド表示するためのキーガイドデータ及びガイドプログラムが予め記憶される。
【００２８】
前記ＲＡＭ２３には、キー表示メモリ２３ａ、表示メモリ２３ｂ、入力バッファ２３ｃ、演算データメモリ２３ｅ、キー操作登録メモリ２３ｆなどが用意される。
【００２９】
前記キー表示メモリ２３ａには、前記キー表示部（ＬＣＤ−Ｋ）１２に表示すべきキー配列のパターンデータＫＰ(1)(2)…が、前記記憶装置２２内のタイプ別キー表示パターン２２ａから読み出されて書き込まれる。
【００３０】
前記表示メモリ２３ｂには、前記表示部（ＬＣＤ）１４に表示すべきキー入力データや計算結果データなど、文字・数字・記号からなるデータが書き込まれる。
【００３１】
前記入力バッファ２３ｃには、前記キー表示部（ＬＣＤ−Ｋ）１２に表示されたキー配列パターンＫＰに基づき、タッチパネル１３に対するタッチ操作に応じて入力判断されたキー入力データが一時記憶される。
【００３２】
前記演算データメモリ２３ｅには、前記入力バッファ２３ｃに記憶されたキー入力データの計算式に応じてＣＰＵ２１により演算処理される演算過程のデータが必要に応じて記憶される。
【００３３】
前記キー操作登録メモリ２３ｆには、登録モードの設定状態においてユーザにより操作入力されたキーデータが順次記憶されて登録される。このキー操作登録メモリ２３ｆに登録されたキーデータは、リプレイのユーザ操作に応じて順次読み出され、前記キー表示部１２に表示させたキー配列表示パターンＫＰ上の対応するキーが点滅などにより識別表示されて再現される。
【００３４】
そして、このＯＨＰ関数電卓１０の電子回路は、ボタン型電池などを使用した電源部２４により駆動される。
【００３５】
次に、前記構成によるＯＨＰ関数電卓１０の動作について説明する。
【００３６】
図３は、前記ＯＨＰ関数電卓１０を何れのキー配列のタイプで使用するかを指定するためのタイプ指定処理を示すフローチャートである。
【００３７】
デフォルト設定によりキー表示部１２に現在表示されているキー配列の表示パターンＫＰ(n)において、予め設定されたキー（例えば「Mode」キー）が所定時間長押し操作されて入力されることで、タイプ指定モードに設定されると、キー配列の異なる国・地域の一覧をメニューにした図示しないタイプ選択画面が表示部（ＬＣＤ）１４に表示され、このタイプ選択画面に従いユーザ操作に応じたキー配列のタイプ（国・地域）が指定される（ステップＳ１）。
【００３８】
すると、前記指定されたキー配列のタイプ（国・地域）に対応する電卓プログラムがタイプ別電卓プログラム２２ｂに基づき設定起動され（ステップＳ２）、同指定のタイプのキー配列表示パターンＫＰがタイプ別キー表示パターン２２ａの中から読み出されてキー表示部（ＬＣＤ−Ｋ）１２に表示される（ステップＳ３）。
【００３９】
そして、前記ユーザ指定のキー配列表示パターンＫＰがキー表示部（ＬＣＤ−Ｋ）１２に表示された状態で、ユーザ操作に応じたタッチパネル１３のタッチ位置が検出され、当該タッチ位置に対応したキーの入力が受け付けられると、前記ステップＳ２にて設定起動されているユーザ指定のタイプの電卓プログラムに従い、ユーザ任意の例えば計算式の入力処理や計算処理が実行される（ステップＳ４）。
【００４０】
これにより、国や地域あるいは教師の教え方により異なるキー配列の表示パターンＫＰ(1)(2)…をユーザ操作に応じて選択的に指定してキー表示部（ＬＣＤ−Ｋ）１２に表示させ、当該指定のキー配列に応じた電卓プログラムを設定起動させて当該ＯＨＰ関数電卓１０を動作させることができる。よって、キー配列の異なるモデルを製作する必要なく、国，地域，教師などにより異なる多様な教え方に容易に対応することが可能なＯＨＰ関数電卓１０を実現できる。
【００４１】
図４は、前記ＯＨＰ関数電卓１０においてキー操作のガイド表示を行うためのガイドモード処理を示すフローチャートである。
【００４２】
前記キー表示部（ＬＣＤ−Ｋ）１２に表示されているユーザ任意のキー配列表示パターンＫＰに基づき、何れかのキー操作入力があったと判断されると（ステップＡ１）、当該入力されたキーに対応するキーガイドデータがガイドメモリ２２ｃに予め記憶されているか否か判断される（ステップＡ２）。
【００４３】
このガイドメモリ２２ｃにおいて、前記ユーザ操作に応じたキーに対応するキーガイドデータが記憶されていると判断されると（ステップＡ２（Ｙｅｓ））、当該キーガイドデータとしての一連のキーデータが読み出される。そして、この一連の各キーデータに対応するところの前記キー表示部（ＬＣＤ−Ｋ）１２に表示されているキーが、該キーに対するユーザ操作に伴い順次切り替えられて識別表示され、キー操作のガイド表示が行われる（ステップＡ３）。
【００４４】
例えばキー表示部（ＬＣＤ−Ｋ）１２に表示されている「sin」キーが操作されると（ステップＡ１）、当該キーデータ「sin」に対応するキーガイドデータ（「sin」「３」「０」「°」）がガイドメモリ２２ｃから読み出され（ステップＡ２）、キー表示部（ＬＣＤ−Ｋ）１２に表示されている該当の各キー「sin」→「３」→「０」→「°」がそれぞれそのキーに対するユーザ操作毎に切り替えられて点滅などにより識別表示される（ステップＡ３）。これにより、ユーザは、「sin」キーを使用した計算についてのキー操作の仕方について容易に学習することができる。よってキーガイドデータとして予めガイドメモリ２２ｃに記憶されている各種の関数キーや機能キーなどについて、その操作の仕方を容易に学習することができる。
【００４５】
図５は、前記ＯＨＰ関数電卓１０において任意のキー操作を登録し再現表示させるための登録モード処理を示すフローチャートである。
【００４６】
キー表示部（ＬＣＤ−Ｋ）１２に表示されているユーザ任意のキー配列表示パターンＫＰに基づき、「Mode」キーの操作に応じて表示部（ＬＣＤ）１４に表示される図示しないモード選択メニューにおいて、「登録」の項目が選択入力されると登録モードに設定される。
【００４７】
この登録モードにおいて、例えば教師が生徒に教えたい計算手順とその結果について、当該計算手順に応じた一連のキーを順次キー操作して入力すると（ステップＢ１）、当該キー操作の都度、その入力されたキーデータがＲＡＭ２３内のキー操作登録メモリ２３ｆに記憶される（ステップＢ２）。
【００４８】
この際、前記キー操作の都度、その入力されたキーデータに応じた処理が実行されると共に（ステップＢ３）、当該キー処理を実行した結果のデータが表示部（ＬＣＤ）１４に表示される（ステップＢ４）。
【００４９】
こうして、前記ユーザ操作に伴う一連のキーデータを前記キー操作登録メモリ２３ｆに記憶させると共に、当該一連のキーデータに応じた処理を実行させてその実行結果のデータを表示させた後に（ステップＢ１〜Ｂ５→Ｂ１〜Ｂ４）、リプレイを示すキー（この場合には、キー表示部１２に表示されている何れかのキー）の操作入力が判断されると（ステップＢ５（Ｙｅｓ））、前記キー操作登録メモリ２３ｆに記憶された一連のキーデータが順次読み出されて、前記キー表示部（ＬＣＤ−Ｋ）１２に表示されている当該キーデータに対応するキーが点滅表示されて示されると共に、当該キーデータの入力に応じた処理も実行されその実行結果のデータが表示部（ＬＣＤ）１４に再現されて表示される（ステップＢ６）。
【００５０】
これにより、例えば教師により予め登録した任意の計算を行うための一連のキー操作およびそのキー操作に伴う処理の実行結果のデータについて、リプレイ操作するだけで、キー表示部（ＬＣＤ−Ｋ）１２に表示されている各対応するキーを順次点滅表示させ、また実行結果のデータを表示部（ＬＣＤ）１４に表示させて再現することができ、その計算手順と結果の内容を容易に生徒に対し学習させることができる。
【００５１】
なお、前記実施形態のＯＨＰ関数電卓１０において、その電源部２４は、ボタン型の電池などを使用する構成としたが、次の他の実施形態において説明するように、ＯＨＰの光源を利用して発電する素子として構成してもよい。
【００５２】
（他の実施形態）
図６は、前記ＯＨＰ関数電卓１０の他の実施形態の電源構成を示す図である。
【００５３】
この他の実施形態のＯＨＰ関数電卓１０では、その電源部を、図６に示すように、本体ケース１１におけるケース裏面１１ｂの上縁に沿ったスペースに配置してなる熱電源素子２４ａにより構成する。
【００５４】
すなわち、このＯＨＰ関数電卓１０を使用する際に、図示しないＯＨＰにおける光源からの照射光を透過させるガラス面上に、その本体ケース１１をケース裏面１１ｂから載せて置くと、当該ケース裏面１１ｂに配置された前記熱電源素子２４ａは、前記光源からの照射光が当たって発熱し発電動作するもので、この熱電源素子２４ａにより発電された電圧によって当該ＯＨＰ関数電卓１０における電子回路の各部を駆動する。
【００５５】
なお、前記熱電源素子２４ａに換えてソーラー電源素子を使用することで、このソーラー電源素子を前記光源からの照射光を受光させて発電動作させ、当該ＯＨＰ関数電卓１０における電子回路の電源に供する構成としてもよい。
【００５６】
なお、本願発明は、前記各実施形態に限定されるものではなく、実施段階ではその要旨を逸脱しない範囲で種々に変形することが可能である。さらに、前記各実施形態には種々の段階の発明が含まれており、開示される複数の構成要件における適宜な組み合わせにより種々の発明が抽出され得る。例えば、各実施形態に示される全構成要件から幾つかの構成要件が削除されたり、幾つかの構成要件が異なる形態にして組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【図面の簡単な説明】
【００５７】
【図１】本発明のＯＨＰ用電子式計算機の実施形態に係るＯＨＰ関数電卓１０の本体構成を示す図であり、同図（Ａ）はその正面外観図、同図（Ｂ）は同図（Ａ）のＢ矢視断面図、同図（Ｃ）は同図（Ａ）のＣ矢視側面図。
【図２】前記ＯＨＰ関数電卓１０の電子回路の構成を示すブロック図。
【図３】前記ＯＨＰ関数電卓１０を何れのキー配列のタイプで使用するかを指定するためのタイプ指定処理を示すフローチャート。
【図４】前記ＯＨＰ関数電卓１０においてキー操作のガイド表示を行うためのガイドモード処理を示すフローチャート。
【図５】前記ＯＨＰ関数電卓１０において任意のキー操作を登録し再現表示させるための登録モード処理を示すフローチャート。
【図６】前記ＯＨＰ関数電卓１０の他の実施形態の電源構成を示す図。
【符号の説明】
【００５８】
１０  …ＯＨＰ関数電卓（ＯＨＰ用電子式計算機）
１１  …本体ケース
１１ａ…ケース表面
１１ｂ…ケース裏面
１２  …透過型キー表示部（ＬＣＤ−Ｋ）
１２ａ…キー表示制御部
１３  …透明タッチパネル
１３ａ…タッチパネル制御部
１４  …透過型表示部（ＬＣＤ）
１４ａ…表示制御部
１５  …電子部品（電子回路）
１６  …排熱用開口部
ＫＰ  …キー配列パターン
２１  …ＣＰＵ
２２  …記憶装置
２２ａ…タイプ別キー表示パターン
２２ｂ…タイプ別電卓プログラム
２２ｃ…ガイドメモリ
２３  …ＲＡＭ
２３ａ…キー表示メモリ
２３ｂ…表示メモリ
２３ｃ…入力バッファ
２３ｅ…演算データメモリ
２３ｆ…キー操作登録メモリ
２４  …電源部
２４ａ…熱電源素子
【図１】
2009271586.tif 000003
【図２】
2009271586.tif 000004
【図３】
2009271586.tif 000005
【図４】
2009271586.tif 000006
【図５】
2009271586.tif 000007
【図６】
2009271586.tif 000008